【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
ヘッドマウントディスプレイ(HMD)内のユーザインターフェースを提供する方法であって、
しきい値の時間量の間、前記HMDの透明な表示エリア内に、ユーザの視点から物理オブジェクトが見えることを判断するステップと、
前記判断に応答して、第1の視覚要素を含む複数の視覚要素を前記透明な表示エリア内に表示させるステップであって、前記複数の視覚要素のうちの各視覚要素が前記HMDのユーザによって選択可能である、ステップと、
複数のアクティブ領域を定義するステップであって、前記複数の視覚要素のうちの各視覚要素に関して、前記視覚要素がアクティブ領域の一部分の中に配置されるように、前記視覚要素よりも大きい、前記透明な表示エリアの対応するアクティブ領域が定義され、前記第1の視覚要素の前記アクティブ領域が第1のアクティブ領域を含む、ステップと、
前記ユーザの視点から前記透明な表示エリア内に見える前記物理オブジェクトを追跡するステップと、
前記第1の視覚要素の選択を示す、前記物理オブジェクトの少なくとも一部分が前記ユーザの視点から前記第1のアクティブ領域内に見えると判断するステップと、
前記選択に基づいて、処理ユニットで前記ユーザインターフェースを操作するステップと
を含む、方法。
【請求項２】
前記第1のアクティブ領域の境界が、前記透明な表示エリアの縁部に延在する、請求項1に記載のHMD内のユーザインターフェースを提供する方法。
【請求項３】
前記追跡に基づいて、前記第1のアクティブ領域を前記透明な表示エリア内に表示させるステップをさらに含む、請求項1に記載のHMD内のユーザインターフェースを提供する方法。
【請求項４】
前記複数のアクティブ領域のうちの各アクティブ領域を、前記透明な表示エリア内に表示させるステップをさらに含む、請求項1に記載のHMD内のユーザインターフェースを提供する方法。
【請求項５】
前記複数のアクティブ領域が、前記ユーザの視点から前記透明な表示エリア内に配置された一連の列を備える、請求項1に記載のHMD内のユーザインターフェースを提供する方法。
【請求項６】
前記判断するステップが、前記ユーザの視点から、前記一連の列のうちの第1の列の少なくとも下半分を前記物理オブジェクトが占めると判断するステップを含み、前記第1のアクティブ領域が前記第1の列を備える、請求項5に記載のHMD内のユーザインターフェースを提供する方法。
【請求項７】
前記複数のアクティブ領域が、前記透明な表示エリアの四分区間を備える、請求項1に記載のHMD内のユーザインターフェースを提供する方法。
【請求項８】
前記ユーザインターフェースを操作するステップが、
前記第1の視覚要素を前記透明な表示エリアから削除させ、2つ以上の他の視覚要素を前記透明な表示エリア内に表示させるステップと、
各々が前記2つ以上の他の視覚要素のうちの1つを取り囲む2つ以上のアクティブ領域で、前記第1のアクティブ領域を置換するステップと
を含む、請求項1に記載のHMD内のユーザインターフェースを提供する方法。
【請求項９】
少なくとも第2のしきい値の時間量の間、前記物理オブジェクトの前記少なくとも一部分が、前記ユーザの視点から前記第1のアクティブ領域内に見えると判断された後、前記ユーザインターフェースを操作するステップが行われる、請求項1に記載のHMD内のユーザインターフェースを提供する方法。
【請求項１０】
前記ユーザインターフェースを操作する前に、前記物理オブジェクトの前記少なくとも一部分が前記ユーザの視点から前記第1のアクティブ領域内に見えると判断された時間の長さを示すインジケータを表示するステップをさらに含む、請求項9に記載のHMD内のユーザインターフェースを提供する方法。
【請求項１１】
前記物理オブジェクトが前記ユーザの手を備える、請求項1に記載のHMD内のユーザインターフェースを提供する方法。
【請求項１２】
前記物理オブジェクトが前記HMDからしきい値の距離内にあると判断するステップをさらに含む、請求項1に記載のHMD内のユーザインターフェースを提供する方法。
【請求項１３】
透明な表示エリアを有するディスプレイと、
HMDのユーザにより前記透明な表示エリアを通して見ることができるオブジェクトに関するデータを供給するように構成されたセンサと、
前記ディスプレイおよび前記センサと通信可能に結合された処理ユニットと
を備え、
前記処理ユニットが、
しきい値の時間量の間、前記HMDの透明な表示エリア内に、ユーザの視点から物理オブジェクトが見えることを判断することと、
前記判断に応答して、前記ディスプレイに、第1の視覚要素を含む複数の視覚要素を前記透明な表示エリア内に表示させることであって、前記複数の視覚要素のうちの各視覚要素が前記ユーザによって選択可能である、表示させることと、
複数のアクティブ領域を定義することであって、前記複数の視覚要素のうちの各視覚要素に関して、前記視覚要素がアクティブ領域の一部分の中に配置されるように、前記透明な表示エリアの対応するアクティブ領域が定義され、前記第1の視覚要素の前記アクティブ領域が第1のアクティブ領域を含む、定義することと、
前記センサからの前記データを使用して、ユーザの視点から前記透明な表示エリア内に見える前記物理オブジェクトを追跡することと、
前記第1の視覚要素の選択を示す、前記物理オブジェクトの少なくとも一部分が前記ユーザの視点から前記第1のアクティブ領域内に見えると判断することと、
前記選択に基づいて、前記ディスプレイに表示された1つまたは複数の要素を操作することと
を含む機能を実行するように構成された、
ヘッドマウントディスプレイ(HMD)。
【請求項１４】
前記第1のアクティブ領域の境界が前記透明な表示エリアの縁部に延在するように、前記第1のアクティブ領域の前記境界を定義するように前記処理ユニットが構成された、請求項13に記載のHMD。
【請求項１５】
前記追跡された物理オブジェクトに基づいて前記ディスプレイに前記第1のアクティブ領域を表示させるように前記処理ユニットが構成された、請求項13に記載のHMD。
【請求項１６】
前記ディスプレイに前記複数のアクティブ領域のうちの各アクティブ領域を表示させるように前記処理ユニットが構成された、請求項13に記載のHMD。
【請求項１７】
前記複数のアクティブ領域が、前記ユーザの視点から前記透明な表示エリア内に配置された一連の列を備えるように、前記ディスプレイに前記複数のアクティブ領域を表示させるように前記処理ユニットが構成された、請求項13に記載のHMD。
【請求項１８】
前記ユーザの視点から、前記一連の列のうちの第1の列の少なくとも下半分を前記物理オブジェクトが占めると判断することによって、前記物理オブジェクトの前記少なくとも一部分が前記第1のアクティブ領域内に見えると判断するように前記処理ユニットが構成され、前記第1のアクティブ領域が前記第1の列を備える、請求項17に記載のHMD。
【請求項１９】
前記複数のアクティブ領域が前記透明な表示エリアの四分区間を備えるように、前記ディスプレイに前記複数のアクティブ領域を表示させるように前記処理ユニットが構成された、請求項13に記載のHMD。
【請求項２０】
前記第1の視覚要素を前記透明な表示エリアから削除させ、2つ以上の他の視覚要素を前記透明な表示エリア内に表示させることと、
各々が前記2つ以上の他の視覚要素のうちの1つを取り囲む2つ以上のアクティブ領域で、前記第1のアクティブ領域を置換することと
によって、前記1つまたは複数の要素を操作するように前記処理ユニットが構成された、請求項13に記載のHMD。
【請求項２１】
少なくとも第2のしきい値の時間量の間、前記物理オブジェクトの前記少なくとも一部分が前記ユーザの視点から前記第1のアクティブ領域内に見えると前記処理ユニットが判断した後、前記1つまたは複数の要素を操作するように前記処理ユニットが構成された、請求項13に記載のHMD。
【請求項２２】
前記1つまたは複数の要素を操作する前に、前記物理オブジェクトの前記少なくとも一部分が前記ユーザの視点から前記第1のアクティブ領域内に見えると前記処理ユニットが判断した時間の長さを示すインジケータを前記ディスプレイに表示させるように前記処理ユニットがさらに構成された、請求項21に記載のHMD。
【請求項２３】
前記物理オブジェクトが前記HMDからしきい値の距離内にあると判断するように前記処理ユニットがさらに構成された、請求項13に記載のHMD。
【請求項２４】
ヘッドマウントディスプレイ(HMD)に、
しきい値の時間量の間、前記HMDの透明な表示エリア内に、ユーザの視点から物理オブジェクトが見えることを判断することと、
前記判断に応答して、第1の視覚要素を含む複数の視覚要素を前記透明な表示エリア内に表示させることであって、前記複数の視覚要素のうちの各視覚要素が前記HMDのユーザによって選択可能である、表示させることと、
複数のアクティブ領域を定義することであって、前記複数の視覚要素のうちの各視覚要素に関して、前記視覚要素がアクティブ領域の一部分の中に配置されるように、前記視覚要素よりも大きい、前記透明な表示エリアの対応するアクティブ領域が定義され、前記第1の視覚要素の前記アクティブ領域が第1のアクティブ領域を含む、定義することと、
前記ユーザの視点から前記透明な表示エリア内に見える前記物理オブジェクトを追跡することと、
前記第1の視覚要素の選択を示す、前記物理オブジェクトの少なくとも一部分が前記ユーザの視点から前記第1のアクティブ領域内に見えると判断することと、
前記選択に基づいて、前記透明な表示エリア内に表示された1つまたは複数の要素を操作することと
を含む機能を実行させるための命令で符号化された、非一時的コンピュータ可読記録媒体。
【請求項２５】
しきい値の時間量の間、前記HMDの透明な表示エリア内に、ユーザの視点から物理オブジェクトが見えることを判断するための手段と、
前記判断に応答して、第1の視覚要素を含む複数の視覚要素を前記透明な表示エリア内に表示させるための手段であって、前記複数の視覚要素のうちの各視覚要素が前記HMDのユーザによって選択可能である、手段と、
複数のアクティブ領域を定義するための手段であって、前記複数の視覚要素のうちの各視覚要素に関して、前記視覚要素がアクティブ領域の一部分の中に配置されるように、前記視覚要素よりも大きい、前記透明な表示エリアの対応するアクティブ領域が定義され、前記第1の視覚要素の前記アクティブ領域が第1のアクティブ領域を含む、手段と、
前記ユーザの視点から前記透明な表示エリア内に見える前記物理オブジェクトを追跡するための手段と、
前記第1の視覚要素の選択を示す、前記物理オブジェクトの少なくとも一部分が前記ユーザの視点から前記第1のアクティブ領域内に見えると判断するための手段と、
前記選択に基づいて、処理ユニットで1つまたは複数の要素を操作するための手段と
を備える、装置。
【請求項２６】
前記第1のアクティブ領域を定義するための前記手段が、前記第1のアクティブ領域の境界が前記透明な表示エリアの縁部に延在するように、前記第1のアクティブ領域の前記境界を定義するための手段を含む、請求項25に記載の装置。
【請求項２７】
追跡するための前記手段に基づいて、前記第1のアクティブ領域を前記透明な表示エリア内に表示させるための手段をさらに備える、請求項25に記載の装置。
【請求項２８】
前記複数のアクティブ領域のうちの各アクティブ領域を、前記透明な表示エリア内に表示させるための手段をさらに含む、請求項25に記載の装置。
【請求項２９】
前記複数のアクティブ領域が前記ユーザの視点から前記透明な表示エリア内に配置された一連の列を備えるように、前記複数のアクティブ領域を定義するための手段をさらに含む、請求項25に記載の装置。
【請求項３０】
前記物理オブジェクトの前記少なくとも一部分が前記ユーザの視点から前記第1のアクティブ領域内に見えると判断するための前記手段が、前記ユーザの視点から、前記一連の列のうちの第1の列の少なくとも下半分を前記物理オブジェクトが占めると判断するための手段を含み、前記第1のアクティブ領域が前記第1の列を備える、請求項29に記載の装置。
【請求項３１】
前記複数のアクティブ領域を前記透明な表示エリアの四分区間として定義するための手段をさらに含む、請求項25に記載の装置。
【請求項３２】
前記1つまたは複数の要素を操作するための前記手段が、
前記第1の視覚要素を前記透明な表示エリアから削除させ、2つ以上の他の視覚要素を前記透明な表示エリア内に表示させるための手段と、
各々が前記2つ以上の他の視覚要素のうちの1つを取り囲む2つ以上のアクティブ領域で、前記第1のアクティブ領域を置換するための手段と
を含む、請求項25に記載の装置。
【請求項３３】
前記複数の視覚要素を表示するための前記手段が、第2のしきい値の時間量の間、前記物理オブジェクトが前記ユーザの視点から前記透明な表示エリア内に見えると判断した後、前記複数の視覚要素を表示するように構成された、請求項25に記載の装置。
【請求項３４】
前記1つまたは複数の要素を操作するための前記手段が、少なくとも第2のしきい値の時間量の間、前記物理オブジェクトの前記少なくとも一部分が前記ユーザの視点から前記第1のアクティブ領域内に見えると判断された後、前記1つまたは複数の要素を操作するように構成された、請求項25に記載の装置。
【請求項３５】
前記1つまたは複数の要素を操作する前に、前記物理オブジェクトの前記少なくとも一部分が前記ユーザの視点から前記第1のアクティブ領域内に見えると判断された時間の長さを示すインジケータを表示するための手段をさらに備える、請求項34に記載の装置。
【請求項３６】
前記物理オブジェクトが前記HMDからしきい値の距離内にあると判断するための手段をさらに備える、請求項25に記載の装置。